(57)【要約】【課題】  非接触ＩＣタグを内在する情報ラベルを、光熱写真画像形成材料の包装材料又は画像処理装置に装着し、画像処理装置の履歴、装置の運転履歴、光熱写真画像形成材料の生産履歴情報をその場で（オンサイトに）又は遠隔地（リモートに）処理しながら、出力される画像の品質の向上を図る手段を提供する。【解決手段】  少なくとも基材、非接触ＩＣタグ及びアンテナから構成されている情報処理ラベルを、光熱写真画像形成材料の包装材料及び該画像形成材料の処理装置の少なくともいずれかに装着して使用することを特徴とする情報処理ラベル。【選択図】        なし【特許請求の範囲】
【請求項１】
少なくとも基材、非接触ＩＣタグ及びアンテナから構成されている情報処理ラベルを、光熱写真画像形成材料の包装材料及び該画像形成材料の処理装置の少なくともいずれかに装着して使用することを特徴とする情報処理ラベル。
【請求項２】
前記ＩＣタグ内で処理される情報が画像処理の履歴と品質情報であることを特徴とする請求項１記載の情報処理ラベル。
【請求項３】
前記基材上にあるアンテナ及び非接触回路が樹脂で被覆されていることを特徴とする請求項１または２記載の情報処理ラベル。
【請求項４】
前記情報処理ラベルが光熱写真画像形成材料の包装材料及び前記画像形成材料の処理装置に装着されて、相互に情報を交換し遠隔地情報処理することを特徴とする請求項１〜３の何れか１項に記載の情報処理ラベル。
【請求項５】
前記光熱写真画像形成材料の包装材料及び前記画像形成材料の処理装置の少なくともいずれかに装着された情報処理ラベル内の情報処理を携帯情報端末で遠隔地処理されることを特徴とする請求項１〜４の何れか１項に記載の情報処理ラベル。
【請求項６】
前記情報処理ラベルの基材、非接触ＩＣタグ及びアンテナから選ばれる少なくともいずれかを被覆している樹脂が、オレフィン樹脂、ポリスチレン樹脂、ポリエステル樹脂、エチレン−酢酸ビニル共重合体樹脂、ポリカーボネート樹脂、ノルボルネン樹脂から選ばれるいずれかであることを特徴とする情報処理ラベル。
【発明の詳細な説明】
【技術分野】
【０００１】
本発明は、光熱写真画像形成材料の包装材料又は該画像形成材料の画像処理装置に装着する情報ラベルに関する。
【背景技術】
【０００２】
Ｘ線撮影による医療画像診断の分野で、ドライ処理システムが普及している。このシステムは、被写体を透過したＸ線エネルギーをイメージングプレート中の輝尽性蛍光体に吸収させ、紫外線、可視光線、或いは赤外線等で時系列的に輝尽性蛍光体を励起し、蓄積されたＸ線エネルギーを蛍光として放射させ、この蛍光を光電的に読みとって電気信号を得、得られた電気信号をレーザー光の強度に変換し、このレーザー光で光熱写真画像形成料中のハロゲン化銀に潜像を形成させ、これを１００℃以上の温度で熱現像して被写体又は被検体のＸ線画像を可視画像として再生する。
【０００３】
一般に光熱写真画像形成材料は、露光後加熱現像のみで画像を出すので処理が簡単であるが、画像処理温度、処理時間、処理量、処理時の環境状態の変化で性能変動を受け、出力された画像品質が不安定になることや装置の経時劣化による性能異常や故障があったときに迅速に原因を解析し、対応することが困難である。
【０００４】
従来、光熱写真画像形成材料の画像処理装置の管理は、内部に装着されたログと呼ばれる集積回路部品に記憶され、この記憶を表示装置により読み取ることで管理されてきた。しかし、運転履歴や処理履歴が記憶されているが、装置上でキー操作しなければならず、その情報の活用と情報量が十分でないことが指摘されていた。装置上での記憶の呼び戻しは個々に読み取る必要があり、手間がかかり作業効率が低下する。一方、近年、非接触ＩＣタグ、所謂、「非接触データキャリア」、「無線ＩＣタグ」、「非接触ＩＣ」、「非接触ＩＣラベル」、「ＲＦＩＤタグ」等と表現されるマイクロ部材に情報を記録して、物流や商品の品質または履歴を管理することが行われるようになってきている（特許文献１参照）。しかし、非接触ＩＣタグを光熱写真画像形成材料の包装材料や画像形成装置に装着しても、処理画像の品質を改善することができなかった。
【特許文献１】特開２００４−１３７８９号公報
【発明の開示】
【発明が解決しようとする課題】
【０００５】
本発明の目的は、非接触ＩＣタグを内在する情報ラベルを、光熱写真画像形成材料の包装材料又は画像処理装置に装着し、画像処理装置の履歴、装置の運転履歴、光熱写真画像形成材料の生産履歴情報をその場で（オンサイトに）又は遠隔地（リモートに）処理しながら、出力される画像の品質の向上を図る手段を提供することにある。
【課題を解決するための手段】
【０００６】
本発明の上記目的は、以下の構成により達成することができる。
【０００７】
（請求項１）
少なくとも基材、非接触ＩＣタグ及びアンテナから構成されている情報処理ラベルを、光熱写真画像形成材料の包装材料及び該画像形成材料の処理装置の少なくともいずれかに装着して使用することを特徴とする情報処理ラベル。
【０００８】
（請求項２）
前記ＩＣタグ内で処理される情報が画像処理の履歴と品質情報であることを特徴とする請求項１記載の情報処理ラベル。
【０００９】
（請求項３）
前記基材上にあるアンテナ及び非接触回路が樹脂で被覆されていることを特徴とする請求項１または２記載の情報処理ラベル。
【００１０】
（請求項４）
前記情報処理ラベルが光熱写真画像形成材料の包装材料及び前記画像形成材料の処理装置に装着されて、相互に情報を交換し遠隔地情報処理することを特徴とする請求項１〜３の何れか１項に記載の情報処理ラベル。
【００１１】
（請求項５）
前記光熱写真画像形成材料の包装材料及び前記画像形成材料の処理装置の少なくともいずれかに装着された情報処理ラベル内の情報処理を携帯情報端末で遠隔地処理されることを特徴とする請求項１〜４の何れか１項に記載の情報処理ラベル。
【００１２】
（請求項６）
前記情報処理ラベルの基材、非接触ＩＣタグ及びアンテナから選ばれる少なくともいずれかを被覆している樹脂が、オレフィン樹脂、ポリスチレン樹脂、ポリエステル樹脂、エチレン−酢酸ビニル共重合体樹脂、ポリカーボネート樹脂、ノルボルネン樹脂から選ばれるいずれかであることを特徴とする情報処理ラベル。
【発明の効果】
【００１３】
本発明により、光熱写真画像形成材料の画像処理装置及び包装用ラベルに、アンテナと非接触ＩＣタグが実装され、非接触通信機能を有し、リーダライタ、携帯情報端末、これらの中継基を介して情報を交信して光熱写真画像形成材料の画像処理装置に必要な情報を不足なく記録及び読み取りすることができる。また、本発明の光熱写真画像形成材料の画像処理装置用ラベルは、ラベル基材が被覆樹脂で保護されているので、損傷、破壊されることなく使用できる。
【発明を実施するための最良の形態】
【００１４】
本発明を更に詳しく説明する。本発明の光熱写真画像形成材料の画像処理装置用ラベルのラベル基材は、樹脂フィルムからなり、当該フィルム基材面に、アンテナ図形回路図が存在し、アンテナ図形回路図面には非接触ＩＣタグラベルが接続された構成から成り立つ。
【００１５】
アンテナ図形は、任意の形状であって良いが、ＩＣタグラベルのＩＣチップの２つの端子に直接的または間接的に接続する。ダブルループ状に開いた図形、楕円状図形や四角、円形、矩形状等図形であってもよい。左右非対象の図形でもよい。図形は一重、二重又は三重の環状や多角形であってもよい。アンテナの長さは、受信する電波の波長の長さの倍数になるように調整される。アンテナの両末端にはＩＣチップが連結され、ＩＣチップは、アンテナの内側に、或いはアンテナの外側に設けてもよいし、アンテナの上部に設けてもよい。最外輪及び最内輪のアンテナの末端をＩＣチップと連結するためには、最外輪又は最内輪のアンテナの末端は、その環状アンテナと短絡することなく、飛び越えて引き出し、アンテナの内側又は外側に延長し、ＩＣチップを連結することが好ましい。アンテナの形成方法は絶縁インクをスクリーン印刷等により線状に印刷後、その印刷された絶縁インクの上に導電性ペーストをスクリーン印刷等により線状に印刷し、導電性回路線を形成する方法等が挙げられる。導電性ペーストは金、銀、白金、インジウム等の導電性の金属微粒子が汎用される。絶縁インクとしては、紫外線硬化型インク等の光硬化型インクなどが挙げられる。アンテナの末端にＩＣチップを連結させる方法としては、アンテナの末端の表面に異方性導電フィルムを介して、通常の連結方法であるフリップチップボンディング法により連結する方法等が挙げられる。フリップチップボンディング法は、ＩＣチップの電極部にワイヤバンプを設け、アンテナの末端の表面に被覆された異方性導電フィルムの上に、ＩＣチップのワイヤバンプがある面を押し付けて、異方性導電フィルムの中にワイヤバンプが入り込み、電子回路の末端とＩＣチップを導通し易くする方法である。
【００１６】
ラベル基材は、光熱写真画像形成材料の画像処理装置の平面ばかりでなく、湾曲面に装着されるもので、基材は形状応答性のよい弾力性のある材料であったり、熱収縮性であることが好ましい。ラベルの接合は接着剤等により行うのが、光熱写真画像形成材料の画像処理装置の体裁を良くする意味から好ましいが、ヒートシールで接合するものであってもよい。基材としては、ＯＰＳ（延伸ポリスチレン）や延伸ＰＰ（ポリプロピレン）または延伸ＰＥＴ（ポリエチレンテレフタレート）ＰＥＴ−Ｇ（Ｒ）（ＰＥＴにシクロヘキサンジメタノールを使用した樹脂）等の樹脂であればラベルとして好適に使用できる。ＩＣタグラベルは、ＩＣチップが搭載されているラベルであって、小型のアンテナ図形が描画された非接触ＩＣタグラベル基材に、ＩＣチップをアンテナ図形と通電するように装着したラベルであり、アンテナ図形は導電性のインキで印刷するのが簡便であり、双方の図形の接近する位置で、当該アンテナ図形とＩＣチップが通電するよう導電性接着剤等により結合されている。例えば、モトローラ社が製造する「Ｂｉｓｔａｔｉｘ」（Ｒ）のようにタック加工されたラベル状のものが使い易い。サイズは、１０ｍｍ×１０ｍｍ程度で小さい程（小さいもので０．３ｍｍ×０．３ｍｍ）、装着の作業性がよい。ＩＣタグラベルが光熱写真画像形成材料の画像処理装置の表面に装着されている場合は、リーダライタによる読み取り動作を正確に行うことができる。情報の交信は光熱写真画像形成材料の画像処理装置の大きさや形状、アンテナ図形の大きさ、リーダライタの出力等によって変化するが、高性能リーダライタを使用すると数十センチから数メートルにある光熱写真画像形成材料の画像処理装置の複数のＩＣタグラベルを瞬時に読み取りすることもできるので、多数の処理装置が設置されている大規模画像処理センター等で使用することも可能である。
【００１７】
非接触ＩＣタグラベルの交信周波数としては、一般的には１２５ｋＨｚ、１３．５６ＭＨｚ、２．４５ＧＨｚ、５．８ＧＨｚ（マイクロ波）の周波数帯から選択して使用される。非接触ＩＣタグラベルでは、１３．５６ＭＨｚを利用する場合が多く、各種のリーダやリーダライタが使用される。リーダライタは、スキャナともいわれ、呼出し信号に対する応答波を検出して非接触ＩＣタグの読み取りをする。ＩＣチップは、シリコン基板に集積回路やメモリを形成したもので、ＩＣタグラベル用としては、１ｍｍ×１ｍｍ程度の大きさで、厚み０．４ｍｍ程度にしたものが使用されている。ＩＣメモリの場合は、１０２４ビットで、１２８文字の記録ができ通常の実装体として最低限の情報記録に使用できる。数キロビットであれば、必要な製造履歴、品質情報の記録が可能であり、記録後に書き込み消去も可能である。
【００１８】
尚、光熱写真画像形成材料の作製方法としては、特開２００３−３３７３９３号を参考にすることができる。光熱写真画像形成材料の露光方法としては、特開平９−３０４８６９号明細書、同９−３１１４０３号および特開２０００−１０２３０号明細書記載の方法によりレーザー露光することができる。光熱写真画像形成材料を現像する装置は、特開平１１−６５０６７号明細書、同１１−７２８９７号および同８４６１９号明細書記載の装置を使用することができる。
【実施例】
【００１９】
実施例１
厚み１００μｍのＰＥＴを支持体とした基材上にコロナ放電処理を行い、該処理面に、白色インキを使用して支持体全面に印刷した。その後、該白色インキ層の上に、導電性インキからなるアンテナ図形をグラビア印刷し、非接触ＩＣタグラベル（モトローラ社製「ＩＣチップ実装ラベル（Ｂｉｓｔａｔｉｘ）」）を、ＩＣチップ側に、アンテナ印刷面になるように実装した。実装後、エポキシ樹脂接着剤を３０μｍ厚に塗工し、光熱写真画像形成材料の画像処理装置の運転キー操作パネルの近傍にＩＣラベルを装着した。
【００２０】
実施例２
実施例１と同一の、厚み１００μｍのＰＥＴ支持体上にコロナ放電処理を行いその処理面側に実施例１と同一の白色インキを使用して支持体全面に印刷した。
【００２１】
その後、該白色インキ層の上に、導電性インキからなるアンテナ図形をグラビア印刷し、実施例１と同様に、ＩＣタグラベル（モトローラ社製「ＩＣチップ実装ラベル（Ｂｉｓｔａｔｉｘ）」）を、ＩＣチップが実装された側が、アンテナ印刷面に面するように貼着した。実施例１と同様に光熱写真画像形成材料の包装袋にＩＣラベルを装着した。
【００２２】
実施例３
厚さ１００μｍのエチレン−酢酸ビニル共重合体支持体上にコロナ放電処理を施し、実施例１と同様にインキ層の上に、導電性インキからなるアンテナ図形をグラビア印刷し、実施例１と同様に、ＩＣタグラベル（モトローラ社製「ＩＣチップ実装ラベル（Ｂｉｓｔａｔｉｘ）」）を、ＩＣチップ側が、アンテナ印刷面に面するように貼着した。実施例１と同様に光熱写真画像形成材料の画像処理装置に装着した。
【００２３】
実施例４
厚さ１００μｍのポリスチレン基材の表面をコロナ放電処理し、実施例１と同一の白色インキ層の上に、導電性インキからなるアンテナ図形をグラビア印刷し、ＩＣタグ  ラベル（モトローラ社製「ＩＣチップ実装ラベル（Ｂｉｓｔａｔｉｘ）」）を、アンテナ図面と同一の面に実装した。更に、溶着溶剤として酢酸メチル、シクロヘキサン、メタノールの混合溶剤を用いて、光熱写真画像形成材料の包装材料である受け皿に実装ラベルを装着させた。
【００２４】
上記、実施例１〜４において、光熱写真画像形成材料の画像処理装置の製造情報（画像処理装置の製造日、製造ロット、熱現像ドラムの製造日、製造ロット）、包装材料の製造情報（受け皿、密封包装袋、包装箱の製造日、製造ロット、原材料ロット）、光熱写真画像形成材料の品質情報（感度、カブリ、コントラスト）のデータを記録させた後、ＩＣタグリーダ（モトローラ社製Ｂｉｓｔａｔｉｘリーダ「ＷＡＶＥ」）を用いて、情報の読み取り書き込み試験を行ったところいずれも支障なく、読み取り書き込みできることを確認した。また、ＩＣタグリーダーの情報を携帯端末で交信できる中継器を設置し、遠隔地試験（東京と大阪間）を実施したが、いずれのラベルも良好な装着状態を維持し、荷扱い、運転、移送等により剥離、破損されていず、生産履歴、品質情報を交信することができた。生産履歴の中で、感度、カブリ、コントラスの品質情報を元に現像プログラムの最適化の情報を交信し、感度及びカブリの性能変動を従来に比べて２３％最小化することができた。